(57)【特許請求の範囲】
【請求項１】
筒部を有する筐体と、
前記筒部に嵌め込まれる内挿部品と、
前記筒部の内壁面における前記内挿部品の装着位置を規定する部位に設けられたリング状の溝と、
前記筒部内に挿入されて前記内挿部品を押さえ込んだ状態で前記溝に装着される固定具を備え、
前記固定具は、軸方向に弾性変形するコイルばね部と、このコイルばね部よりも大径で且つ径方向に弾性変形可能に形成されて該コイルばね部の一端に連続して位置して前記筐体の筒部の内壁面におけるリング状の溝に嵌合する穴用止め輪部を具備し、
前記コイルばね部は、板厚方向に波状に変化する板体を前記板厚方向に複数ターンに亘って螺旋場に巻回して成る籠型のスプリングからなり、
前記穴用止め輪部は、前記スプリングの一端に連なって該スプリングと同軸に螺旋状に巻回された少なくとも１ターンの前記板厚方向に平坦な板状体からなり、
前記固定具のコイルばね部と穴用止め輪部とは一体を形成しており、
前記筐体の筒部の内壁面には、前記固定具を前記筐体の筒部に挿入して前記内挿部品を押さえ込む段階において前記溝の手前で且つ前記内挿部品から少なくとも前記コイルばね部の自然長さ分の距離をおいた部位で前記穴用止め輪部が離脱可能に嵌合するリング状の仮止め溝を設けていると共に、継ぎ手用ねじが形成してある
ことを特徴とする組立構造体。
【請求項２】
前記筐体は、流体の通流孔を前記筒部として具備して前記通流孔を流れる流体の量を計測する流量計であって、前記通流孔に装着される前記内挿部品は、前記流体の整流体である請求項１に記載の組立構造体。
【請求項３】
請求項１または２のいずれかに記載の組立構造体の固定具を前記筐体の筒部に取り付けるに際して、
軸体を有する治具の前記軸体の先端部に前記固定具を保持させ、
次いで、前記筐体の筒部に前記治具の軸体を挿入してその先端部に保持した固定具を前記筒部内に挿入し、続いて、前記治具の軸体を押し込んで前記固定具の穴用止め輪部を前記筐体の筒部の内壁面に設けた仮止め溝に嵌合させた後、
前記治具に替えてこの治具とは別の仕上げ治具を前記筐体の筒部に挿入して前記固定具の穴用止め輪部を前記仮止め溝から離脱させると共に、この仮止め溝から離脱した前記固定具の穴用止め輪部を前記筐体の筒部の内壁面に設けたリング状の溝に嵌め込んで、前記固定具を前記筐体の筒部に取り付けることを特徴とする固定具の取り付け方法。
【発明の詳細な説明】
【技術分野】
【０００１】
本発明は、軸方向に弾性変形するコイルばね部及びこのコイルばね部の一端に位置する大径の穴用止め輪部を具備した固定具を用いて、筐体の筒部に嵌め込まれる内挿部品を押さえ込んで固定して成る組立構造体及び固定具の取り付け方法に関するものである。
【背景技術】
【０００２】
上記した組立構造体としてのガス等の流体流量を計測する流量計において、概略的には、例えば、筒状の流路を形成したブロック体（筐体）の内壁面に流量センサを取り付けると共に、上記流路の流量センサの上流側に整流体を組み付けた構造を有しており、上記整流体は、流路を流れるガスを整流して、その流れの乱れを防止する役割を担っている。
この種の流量計は、ガスの供給流路（ガス配管）に介挿されて用いられるものであり、通常、上記ブロック体における流路の上流側および下流側の開口端内壁面には、継ぎ手用のねじが形成されている。
【０００３】
また、筒状の上記流路の内壁面には、整流体の装着位置を規定する段差（ストッパ）及び上記整流体を固定するリング状の溝が形成されている。
上記したブロック体の流路に対する整流体の組み付けは、円柱状の整流体を流路の一端側から段差に当接する位置まで挿入した後、その上からコイルばね部及びこのコイルばね部よりも若干大径の穴用止め輪部を有する固定具を挿入し、該固定具の穴用止め輪部を上記リング状の溝に嵌め込むことによって行われ、整流体は、固定具のコイルばね部の弾性力で上記流路の内部に固定される。
【０００４】
この際、固定具として、例えば、籠型のスプリング（所謂ハイブリッドスプリング（商標））が適用される。この籠型のスプリングは、板厚方向に波状に変化する板体を板厚方向に複数ターンに亘って螺旋状に巻いて成っているので、スプリングに圧縮方向の力が作用するとスプリングは径方向に縮み、これとは逆に、スプリングに引張り方向の力が作用するとスプリングは径方向に拡がるという特有の性質を持っている（例えば、特許文献１，２，３参照）。
【特許文献１】特開2006-105233号公報
【特許文献２】特開2006-105234号公報
【特許文献３】特開2004-225880号公報
【発明の開示】
【発明が解決しようとする課題】
【０００５】
上記した籠型のスプリングを固定具として採用した場合において、流路への挿入は、コイルばね部よりも若干大径の穴用止め輪部を取り付け用冶具によって径方向に縮めて流路の径と略等しくして行う。
この状態において、籠型のスプリングの性質上、穴用止め輪部には径方向に拡がる向きの反力が生じており、本来であれば、流路の径よりも若干大径で且つ穴用止め輪部よりも若干小径に設計されているリング状の溝に穴用止め輪部が到達した時点で、取り付け用冶具による穴用止め輪部の拘束を解けば、上記反力によって穴用止め輪部を径方向に拡張させて嵌合させることができる。
【０００６】
ところが、穴用止め輪部とリング状の溝とを確実に嵌合させるために、一旦、穴用止め輪部をリング状の溝よりも奥まで到達させ、その後、取り付け用冶具を徐々に引き抜くようにしているのが現状である。
そして、上記取り付け用冶具を徐々に引き抜く場合には、性質上軸方向にも縮んでいた固定具がその反力で軸方向に伸びて、穴用止め輪部がリング状の溝の位置に戻った段階において、取り付け用冶具の先端に当接している固定具の穴用止め輪部には径方向に拡がろうとする力が作用しているものの、取り付け用冶具の先端及び穴用止め輪部間には、相反する軸方向の力が作用して押圧し合っていることから、これで生じる穴用止め輪部を径方向へ縮める方向の摩擦力によって、穴用止め輪部の径方向への拡がり動作が阻害されることとなる。
【０００７】
つまり、取り付け用冶具の引き抜きによって穴用止め輪部がリング状の溝の位置に戻ったとしても、このリング状の溝に穴用止め輪部が嵌め込まれない場合がないとは言えず、この事態を視認し得ない取り付け作業者によりそのまま取り付け用冶具が引き抜かれると、これにより露出する継ぎ手用のねじまで穴用止め輪部が移動してしまい、この継ぎ手用のねじに嵌め込まれるといった事態が生じかねない。
【０００８】
この状態では、固定具の穴用止め輪部の径を押し縮めて継ぎ手用のねじから離脱させることは非常に困難であり、その結果、歩留まりが悪化してしまうという問題があった。
本発明は、上記した従来の課題に着目してなされたもので、内挿部品を筒部に安定して組み付け得る固定具、すなわち、軸方向に弾性変形するコイルばね部及びこのコイルばね部の一端に位置する大径の穴用止め輪部を具備した固定具を容易にそして歩留まりよく装着することが可能な組立構造体及び固定具の取り付け方法を提供することを目的としている。
【課題を解決するための手段】
【０００９】
上述した目的を達成するべく本発明の請求項１ に係る組立構造体は、筒部を有する筐体と、前記筒部に嵌め込まれる内挿部品と、前記筒部の内壁面における前記内挿部品の装着位置を規定する部位に設けられたリング状の溝と、前記筒部内に挿入されて前記内挿部品を押さえ込んだ状態で前記溝に装着される固定具を備え、前記固定具は、軸方向に弾性変形するコイルばね部と、このコイルばね部よりも大径で且つ径方向に弾性変形可能に形成されて該コイルばね部の一端に連続して位置して前記筐体の筒部の内壁面におけるリング状の溝に嵌合する穴用止め輪部を具備し、前記コイルばね部は、板厚方向に波状に変化する板体を前記板厚方向に複数ターンに亘って螺旋場に巻回して成る籠型のスプリングからなり、前記穴用止め輪部は、前記スプリングの一端に連なって該スプリングと同軸に螺旋状に巻回された少なくとも１ターンの前記板厚方向に平坦な板状体からなり、前記固定具のコイルばね部と穴用止め輪部とは一体を形成しており、前記筐体の筒部の内壁面には、前記固定具を前記筐体の筒部に挿入して前記内挿部品を押さえ込む段階において前記溝の手前で且つ前記内挿部品から少なくとも前記コイルばね部の自然長さ分の距離をおいた部位で前記穴用止め輪部が離脱可能に嵌合する仮止め溝を設けていると共に、継ぎ手用ねじが形成してある構成としたことを特徴としており、このような構成の組立構造体を前述した課題を解決するための手段としている。
【００１１】
また、本発明の請求項２ に係る組立構造体において、前記筐体は、流体の通流孔を前記筒部として具備して前記通流孔を流れる流体の量を計測する流量計であって、前記通流孔に装着される前記内挿部品は、前記流体の整流体である構成としている。
【００１２】
一方、本発明の請求項３に係る固定具の取り付け方法は、上記組立構造体の固定具を前記筐体の筒部に取り付けるに際して、軸体を有する治具の前記軸体の先端部に前記固定具を保持させ、次いで、前記筐体の筒部に前記治具の軸体を挿入してその先端部に保持した固定具を前記筒部内に挿入し、続いて、前記治具の軸体を押し込んで前記固定具の穴用止め輪部を前記筐体の筒部の内壁面に設けた仮止め溝に嵌合させた後、前記治具に替えてこの治具とは別の仕上げ治具を前記筐体の筒部に挿入して前記固定具の穴用止め輪部を前記仮止め溝から離脱させると共に、この仮止め溝から離脱した前記固定具の穴用止め輪部を前記筐体の筒部の内壁面に設けたリング状の溝に嵌め込んで、前記固定具を前記筐体の筒部に取り付ける構成としている。
【００１３】
本発明に係る組立構造体及び固定具の取り付け方法において、固定具を筐体の筒部に取り付ける場合には、まず、取り付け用冶具によって固定具の穴用止め輪部を径方向に縮めた状態で筒部に挿入し、筒部内の溝の手前に位置する仮止め溝の部位で取り付け用冶具による拘束を解除して、固定具の穴用止め輪部を仮止め溝に嵌合させる。
この嵌合に際して、固定具のコイルばね部は内挿部品に接触せずに自然長さを保っているので、すなわち、コイルばね部には軸方向の弾性力が作用していないので、取り付け用冶具と固定具の穴用止め輪部との間には、この穴用止め輪部の径方向への拡がり動作を阻害する摩擦力は生じないこととなり、その結果、固定具の穴用止め輪部は、仮止め溝にスムーズに嵌合することとなる。
【００１４】
加えて、この状態で取り付け用冶具を引き抜いたとしても、固定具の穴用止め輪部はすでに仮止め溝に嵌合しているので、筐体の筒部に形成されている継ぎ手用ねじに固定具が絡まることは生じ得ないこととなる。
次いで、固定具の穴用止め輪部を仮止め溝に嵌合させた状態で、仕上げ治具などの他の治具で固定具をより奥に押し込めば、固定具の穴用止め輪部が仮止め溝から離脱するのに続いて、筐体の筒部の内壁面に設けたリング状の溝に円滑に嵌め込まれることとなる。
【００１５】
このとき、リング状の溝に対する穴用止め輪部の嵌合不良が生じてリング状の溝から外れたとしても、固定具の穴用止め輪部は仮止め溝に引っかかって止まることから、上記継ぎ手用ねじに固定具が絡まることが回避されることとなる。
【発明の効果】
【００１６】
本発明に係る組立構造体及び固定具の取り付け方法では、上記した構成としているので、内挿部品を筒部に安定して組み付け得る固定具、すなわち、軸方向に弾性変形するコイルばね部及びこのコイルばね部の一端に位置する大径の穴用止め輪部を具備した固定具を容易且つ確実に取り付けることが可能であり、加えて、固定具が筒部に形成した継ぎ手用ねじに取り外し困難に絡まるのを回避することができ、その分だけ歩留まりの向上をも実現することができるという非常に優れた効果がもたらされる。
【００１７】
一方、このような固定具を用いて筐体の筒部に内挿部品を組み込んだ組立構造体では、固定具の取り付け空間を小さくし得る分だけ、コンパクト化を実現できるうえ、筐体の筒部への固定具の装着が容易になる分だけ、組み付け作業コストの低減をも実現することができるという非常に優れた効果がもたらされる。
【発明を実施するための最良の形態】
【００１８】
以下、本発明を図面に基づいて説明する。
図１〜図５は、本発明の一実施形態に係る組立構造体及び固定具の取り付け方法を示しており、この実施形態では、本発明に係る組立構造体が、筒部に内挿部品としての整流体を装着した流量計である場合を例に挙げて説明する。
図１は、この実施形態において用いる固定具１０の概略的な形状を示す斜視図であり、図２(ａ)，(ｂ)は、上記固定具１０の構造を示す平面図及び側面図である。
【００１９】
この固定具１０は、ばね鋼等の弾性体を軸方向に数ターンに亘って巻回したコイルばね部１１と、このコイルばね部１１の一端に該コイルばね部１１と一体に連接された穴用止め輪部１２とを備えている。
上記コイルばね部１１は、板厚方向に波状に変化する所定幅の板体をその板厚方向に複数ターンに亘って螺旋状に巻回して成る軸方向（板厚方向）に弾性変形する籠型のスプリング（所謂ハイブリッドスプリング（商標））としている。
【００２０】
一方、穴用止め輪部１２は、平坦な板体をその板面方向に略１ターンに亘って巻回して成る径方向に弾性的に縮径可能なもの（所謂Ｃリング）としていて、この穴用止め輪部１２は、コイルばね部１１よりも若干大径のＣリングとしてある。
この実施形態において、上記固定具１０は、板厚０.２ｍｍ、板幅０.８ｍｍのばね鋼（例えば燐青銅やステンレス鋼）を、外径１１ｍｍ、コイル長３.３ｍｍのコイルばね部（籠型スプリング）１１として５ターンに亘って巻回し、穴用止め輪部１２を外径１１.９ｍｍの略１ターンの平坦なＣリングとしており、コイルばね部１１は、例えば、１ターン当たり３.５回の波（ウェーブ）を形成するように加工されている。
【００２１】
このような固定具１０を備えた組立構造体としての流量計は、ガスの供給流路（ガス配管）に介挿されて用いられるものであり、図３に示すように、筒状の流路１を形成したブロック体（筐体）２の内壁面に流量センサ３を取り付けると共に、この流量センサ３の上流側に円柱状の整流体４を組み付けて成っていて、ブロック体２における流路１の上流側および下流側の開口端内壁面には、継ぎ手用ねじ５ａ，５ｂが形成されている。
【００２２】
また、筒状の流路1の内壁面には、整流体４の装着位置を規定する段差（ストッパ）１ａ及び整流体４を固定するためのリング状の溝１ｂが形成してあり、この場合、ブロック体２の流路1の内壁面には、上記リング状の溝１ｂの手前（図３上側）で且つ整流体４から少なくとも固定具１０のコイルばね部１１の自然長さ分の距離をおいた部位に位置して、固定具１０の穴用止め輪部１２と離脱可能に嵌合する仮止め溝１ｃが設けてある。
【００２３】
上記した固定具１０を用いれば、例えば、図３(ａ)に示すように、円柱状の整流体４を流路１の一端側からこの流路１に設けた段差１ａに当接する位置まで挿入した後、その上から固定具１０を挿入して該固定具１０の穴用止め輪部１２を前記流路１の内壁に設けたリング状の溝１ｂに嵌め込むだけで、固定具１０が一体に備えたコイルばね部１１で、図３(ｂ)に示すように、上記流路１の内部に整流体４を安定に固定することができる。
【００２４】
特に固定具１０の穴用止め輪部１２をコイルばね部１１よりも若干大径に形成しているので、上記穴用止め輪部１２の周縁部を流路１の内壁に設けたリング状の溝１ａに嵌め込むだけで、コイルばね部１１を流路１内に偏りなく同軸に位置付けることができる。
したがって、コイルばね部１１が流路１の内壁面に接触してその軸方向の弾性力が妨げられる等の不具合を招来することがない。また、コイルばね部１１が籠型のスプリングからなっているので、整流体４の周縁部をその全周に亘って均一な力で安定に押圧することができる。
【００２５】
また、固定具１０が、コイルばね部１１と穴用止め輪部１２とを一体に備えているので、例えば、上記コイルばね部１１の端部を支持し、上記コイルばね部１１側から該固定具１０を流路１内に挿入するだけで、予め流路１内に挿入した整流体４をそのままその奥部に向けて押圧することができる。したがって、固定具１０の取り扱いが容易なうえ、その装着固定作業の容易化を図ることができる。
【００２６】
さらに、固定具１０が、コイルばね部１１と穴用止め輪部１２とを一体に備えていて、各部が持つ機能を統合した構造を成しているので、その分だけ、流路１内に整流体４を組み込むための部品点数を少なくすることができ、上述した組み付け作業の容易化と相俟って、その製作コストを低減することが可能となる等の二次的な効果も奏せられる。
次に、上述した固定具１０を用いた流路１内への整流体４の組み込み作業について説明する。この組み込み作業は、例えば、図４(ａ)に示すような組付治具２０を用いて行われる。この組付治具２０は、弾性的に縮径可能な棒状を成し、その先端部に固定具１０の穴用止め輪部１２に内側から係合して該固定具１０を装着可能な係止部２１を有する軸体２２を備えていると共に、先端部に固定具１０を装着した上記軸体２２を挿通可能な貫通孔３１を有し、この貫通孔３１に挿入された軸体２２をその挿入長に応じて縮径させる筒体３０を備えている。
【００２７】
上記軸体２２は、その先端部から大径の把持部をなす基部２３に向けて軸方向に切り込まれた長尺のスリット２４を有し、上記先端部を径方向に圧縮することにより上記スリット２４の間隙を狭めることで縮径する。
一方、筒体３０は、前述した流路１の開口端部に装着されるもので、特にこの例において、流路１の継ぎ手用ねじ５ａの内面に沿って嵌め込まれる肉薄の円筒状ガイド３２を備えている。そして、前記軸体２２が挿入される貫通孔３１は、その一端部側から上記円筒状ガイド３２を形成した他端部側に向けて徐々に縮径する内壁面３１ａを有しており、この内壁面３２は、例えば１°程度の傾斜面からなり、貫通孔３１内への前記軸体２２の押し込み量に応じて該軸体２２の先端部を径方向に押圧することで、軸体２２を先端部を徐々に縮径させる役割を担っている。
【００２８】
この場合、軸体２２の先端部に設けられた係止部２１は、図４(ａ)において部分的に拡大して示すように、固定具１０の穴用止め輪部１２の内側に入り込む小径部２５と、この小径部２５の根元部から外側に張り出して穴用止め輪部１２の上面に当接する段差部２６と、小径部２５の先端部から外側に張り出して固定具１０の穴用止め輪部１２の下面側とコイルばね部１１の上端部との間に入り込む張出部２７とを備えている。
【００２９】
上記段差部２６の外径は、前述した穴用止め輪部１２を最大限に縮径させたときの径よりも若干小さく設定され、且つその幅は、穴用止め輪部１２の板幅程度に設定されている。また、小径部２５の長さは、上記穴用止め輪部１２の板厚よりも若干長く設定されている。そして、張出部２７の外径は、前述したコイルばね部１１の内径よりも若干大きく設定されている。
【００３０】
このような組付治具２０を用いた固定具１０の流路１内への装着、すなわち、整流体４の組み付けは、まず、整流体４を流路１内の段差１ａに当接する位置まで挿入し、これに続いて、流路１の開口端部に筒体３０の円筒状ガイド３２を挿入して該筒体３０を流路１に装着する。
次に、軸体２０の先端部に固定具１０を装着する。この軸体２０への固定具１０の装着は、軸体２０を把持してその先端部を若干縮径させた状態で上記先端部に形成した張出部２７を固定具１０における穴用止め輪部１２の内側に挿入し、上記軸体２０の把持を解除することでその先端部を弾性復帰させて張出部２７を固定具１０の穴用止め輪部１２とコイルばね部１１との間の隙間に潜り込ませる。これにより、固定具１０の穴用止め輪部１２が軸体２０の先端部の段差部２６と張出部２７との間に挟み込まれて、小径部２５の外側に嵌め込まれるので、これによって軸体２０の先端部に装着されることになる。
【００３１】
この後、図４(ｂ)に示すように、固定具１０を装着した軸体２０をその先端部側から筒体３０の貫通孔３１に挿入して固定具１０を流路１内に導く。
この際、貫通孔３１内への軸体２０の押し込みに伴って、軸体２０の先端部は筒体３０の内壁面３１ａにより押圧されて徐々に縮径し、これと同時に、固定具１０の穴用止め輪部１２も筒体３０の内壁面３１ａにより押圧されて縮径する。したがって、固定具１０は軸体２０の先端部から外れることなく、図５(ａ)に示すように、筒体３０の奥部まで、つまり、肉薄の円筒状ガイド３２の先端部まで押し込まれることになる。
【００３２】
そして、図５(ｂ)に示すように、軸体２０のさらなる押し込みに伴って固定具１０のコイルばね部１１及び穴用止め輪部１２が円筒状ガイド３２の先端部から抜け出ると、穴用止め輪部１２は、円筒状ガイド３２による径方向への押圧は解除されるものの、未だ流路１の内壁面によりその拡径が規制されており、したがって、穴用止め輪部１２は軸体２０の先端部に装着された状態に保たれる。
【００３３】
この後、軸体２０をさらに押し込むと、図５(ｃ)に示すように、流路１内のリング状の溝１ｂの手前に位置する仮止め溝１ｂの部位で、穴用止め輪部１２の径方向への拘束が解除されて弾性復帰するので、固定具１０の穴用止め輪部１２が仮止め溝１ｃに嵌合することとなる。
この穴用止め輪部１２の嵌合に際して、固定具１０のコイルばね部１１は先に挿入した整流体４に接触せずに自然長さを保っているので、すなわち、コイルばね部１１には軸方向の弾性力が作用していないので、固定具１０の穴用止め輪部１２には、この穴用止め輪部１２の径方向への拡がり動作を阻害する摩擦力は生じないこととなり、その結果、固定具１０の穴用止め輪部１２は、仮止め溝１ｃにスムーズに嵌合することとなる。
【００３４】
次いで、固定具１０の穴用止め輪部１２を仮止め溝１ｃに嵌合させた状態で、図５(ｄ)に示すように、上記組付治具２０とは異なる仕上げ治具４０で固定具１０をより奥に押し込めば、固定具１０の穴用止め輪部１２が仮止め溝１ｃから離脱するのに続いて、流路１の内壁面に設けたリング状の溝１ｂの位置まで導かれ、流路１の内壁面による径方向の押圧が解除されて弾性復帰して、リング状の溝１ｂに円滑に嵌り込んで拡径する。
【００３５】
そして穴用止め輪部１２の上記溝１ｂへの嵌合により流路１内に固定具１０が固定され、これに伴って固定具１０のコイルばね部１１によって整流体４がその軸方向に押圧された状態で流路１内に固定されることになる。
なお、上記組付治具２０の交換に際して、この組付治具２０を流路１から引き抜いたときには、固定具１０の穴用止め輪部１２はすでに仮止め溝１ｃに嵌合しているので、ブロック体２の継ぎ手用ねじ５ａに固定具１０が絡まることは生じ得ないこととなる。
【００３６】
また、リング状の溝１ｂに対する穴用止め輪部１２の嵌合不良が生じてリング状の溝１ｂから外れたとしても、固定具１０の穴用止め輪部１２は仮止め溝１ｃに引っかかって止まることから、上記継ぎ手用ねじ５ａに固定具１０が絡まることは回避されることとなる。
この後、この状態から仕上げ治具４０を流路１から引き抜けば、固定具１０の穴用止め輪部１２は既に溝１ｂに嵌り込んで拡径しているので、固定具１０を流路１内に残した状態で仕上げ治具４０だけが引き抜かれることになり、これにより、固定具１０の組み付け作業を終了する。
【００３７】
上記したように、この実施形態では、整流体４を流路１に安定して組み付け得る固定具１０、すなわち、軸方向に弾性変形するコイルばね部１１及びこのコイルばね部１１の一端に位置する大径の穴用止め輪部１２を具備した固定具１０を流路１に容易且つ確実に取り付け得るうえ、固定具１０が流路１内に取り外し困難に絡まるのを阻止し得ることとなり、その分だけ歩留まりの大幅な向上が図られることとなる。
【００３８】
また、この実施形態では、固定具１０のコイルばね部１１を複数ターンに亘る籠型スプリングとし、さらに、穴用止め輪部１２を少なくとも１ターンの板状体としているので、コイルばね部１１の弾性力を十分に確保しながらその軸方向の全長を短くすることができ、ひいてはブロック体２の流路１への取り付けに要するスペース（取り付け空間）を小さくすることができる。
【００３９】
一方、このような固定具１０を用いて流路１に整流体４を組み込んだ流量計では、固定具１０の取り付け空間を小さくし得る分だけ、コンパクト化を実現できるうえ、ブロック体２の流路１への固定具１０の装着が容易になる分だけ、組み付け作業コストの低減をも実現することができる。
なお、本発明は上述した実施形態に限定されるものではない。ここではコイルばね部１１として籠型スプリングを備えたものを例示したが、線状体または平板体を軸方向に巻回したコイルスプリングであってもよい。また、穴用止め輪部１２については二重リング構造のものであってもよい。さらに、固定具１０の大きさ（径および長さ）や、コイルばね部１１のばね力等については、その固定対象物の仕様に応じて設定すればよいものであい。さらにまた、ここでは流路１内に整流体４を組み付けた流量計を例に説明したが、本発明は筒状体の内部に内挿部品を正確に組み付ける必要のある種々の組立構造体に幅広く適用することができる。
【図面の簡単な説明】
【００４０】
【図１】筒部に装着される固定具の概略構成を示す斜視図である。
【図２】図１に示す固定具の平面図（ａ）及び側面図（ｂ）である。
【図３】本発明の一実施形態に係る組立構造体の流路を形成した筐体内への固定具を用いた内挿部品（整流体）の装着構造を示す断面図（ａ），（ｂ）である。
【図４】本発明の一実施形態に係る組立構造体への固定具の取み付けに用いる治具の概略構造を示す断面図（ａ）及びこの取り付け治具を用いた筒体内への固定具の装着形態を示す断面図（ｂ）である。
【図５】図４に示す取り付け治具による流路内への固定具の装着要領説明図（ａ）〜（ｄ）である。
【符号の説明】
【００４１】
１  流路（筒部）
１ｂ  溝
１ｃ  仮止め溝
２  ブロック体（筐体）
４  整流体（内挿部品）
５ａ，５ｂ  継ぎ手用ねじ
１０  固定具
１１  コイルばね部
１２  穴用止め輪部
２０  取り付け治具
４０  仕上げ治具
【図１】
0004989400.tif 000002
【図２】
0004989400.tif 000003
【図３】
0004989400.tif 000004
【図４】
0004989400.tif 000005
【図５】
0004989400.tif 000006